(57)【要約】【課題】シゴキを通過した後でも、液状化粧料塗布体の塗布部の塗布面において必要量の液状化粧料を残しておくことができるようにする。【解決手段】軸部１１と、塗布部１２とから構成され、該塗布部１２では対向する平面状の塗布面１３、１３を形成するとともに、該塗布部１２の幅がシゴキ５のシゴキ穴５ａの内径よりも大とした上で、上記軸部１１の塗布部１２方向先端に、該塗布面１３、１３に直交する方向に、シゴキ穴５ａの内径を拡張させるように突出させてなる円錐台形状の突出部１４を形成するので、塗布部がシゴキ穴を通過するにあたり及び通過するにあたっても、変形するシゴキ穴の内縁が塗布面に密着することを突出部が阻止するものとなって、軸部側の塗布面において十分な液状化粧料を残すことができる。【選択図】図３
2014073295.tif 000002
【特許請求の範囲】
【請求項１】
軸部と、塗布部とから構成され、
該塗布部は、塗布面を形成するとともに、該塗布部の幅がシゴキのシゴキ穴の内径よりも大とし、
上記軸部の塗布部方向先端に、少なくとも該塗布面に直交する方向に、シゴキ穴の内径を拡張させるように突出してなる突出部を形成する
ことを特徴とする液状化粧料塗布体。
【請求項２】
上記塗布部の塗布面において、その全面又はその一部に対してフロッキー植毛加工をする
ことを特徴とする請求項１記載の液状化粧料塗布体。
【発明の詳細な説明】
【技術分野】
【０００１】
本願発明は、液状口紅やリップグロス等の液状化粧料（以下、「液状化粧料」とする。）の塗布に使用する液状化粧料塗布体に関する。
【背景技術】
【０００２】
従来、液状化粧料の塗布に使用する液状化粧料塗布体には、例えば軟質樹脂、エラストマー又はゴム等の軟質材（以下、「軟質材」とする。）からなり、軸部と一体に成形される塗布部を幅広のヘラ状としてなるものがある。
【０００３】
ところで、上記液状化粧料塗布体を内部に収容する塗布容器本体内の開口部内には、塗布部や該塗布部を保持する保持軸に過剰に付着した液状化粧料を拭い去る軟質材からなるシゴキが内装されており（特許文献１参照）、該シゴキには、その中央に塗布部や該塗布部を保持する保持軸が通過する円形のシゴキ穴が穿設されている。
【０００４】
そのため、上記液状化粧料塗布体、特に幅広のヘラ状である塗布部がシゴキ穴を通過する際には、シゴキ穴は該塗布部によって大きく変形するものとなる。すなわち、円形状のシゴキ穴内を幅広のヘラ状である塗布部が通過しようとすると、該円形状のシゴキ穴は塗布部の幅だけ直径方向へ伸長するとともに、該塗布部の幅に対して直交する直径方向に短縮して略楕円形状のシゴキ穴へと変形するので、塗布部の塗布面、特に塗布部と一体に成形される軸部との近傍ではシゴキ穴の内縁と密着して塗布面に付着している液状化粧料を拭い去られるものとなる。その結果、塗布部の塗布面には必要量の液状化粧料が保持されていないので、反復して液状化粧料を被塗布面に対して塗布しなければならず、非常に煩らしいものである。
【先行技術文献】
【特許文献】
【０００５】
【特許文献１】特開２００１−１６１４３４号公報
【発明の概要】
【発明が解決しようとする課題】
【０００６】
解決しようとする問題点は、液状化粧料塗布体の塗布部がシゴキを通過する際に、該シゴキ穴の変形によって該塗布部の塗布面において必要量の液状化粧料を保持させることができない点である。
【課題を解決するための手段】
【０００７】
第１の特徴として、
軸部と、塗布部とから構成され、
該塗布部は、塗布面を形成するとともに、該塗布部の幅がシゴキのシゴキ穴の内径よりも大とし、
上記軸部の塗布部方向先端に、少なくとも該塗布面に直交する方向に、シゴキ穴の内径を拡張させるように突出してなる突出部を形成するものである。
【０００８】
そのため、シゴキ穴を塗布部が通過するにあたっては、液状化粧料塗布体を保持する保持軸に付着した液状化粧料を拭い去ることができる。
さらに、液状化粧料塗布体を軸部とともに構成する塗布部がシゴキ穴を通過にあたり、軸部の塗布部方向先端に形成される突出部が、シゴキ穴の内径を拡張するように変形させて、該塗布部の塗布面に密着しようとするシゴキ穴の内縁を阻止するとともに、該塗布部がシゴキ穴を通過する際にも該突出部がシゴキ穴の内縁が塗布面に密着しようとすることをも阻止するものである。その結果、シゴキを通過する塗布部の塗布面、特に塗布面の軸部側に対してシゴキ穴の内縁は密着することがないので、該塗布部の塗布面において必要量の液状化粧料を残すことができるものとなる。
【０００９】
ここで、液状化粧料塗布体を構成する軸部の塗布部方向先端に形成される突出部は、塗布部がシゴキ穴を通過するにあたり及び通過するに際しても、シゴキ穴の内縁が塗布部の塗布面に密着することを阻止するので、該塗布部の塗布面に直交する方向に、シゴキ穴の内径を拡張するように突出していれば足りるものである。そして、特に液状化粧料塗布体の抜出時においてシゴキの変形を円滑に促すようにするために、該突出部を、その軸部側面において全周にわたって、軸部後端方向に小径化する円錐台形状としてなるものの他、対向する位置に配置するものであって、その形状を半球状とするものや、軸部方向に斜辺を形成する略三角形状又は略台形状とするものであっても良いものである〔図４（イ）〜（ハ）参照〕。
なお、塗布部の塗布面は、軸部の軸線の延長線上において平面状に形成されることで被塗布面に対する塗布部の位置を把握し易くなるが、口唇、特に上唇に対する塗布においては、液状化粧料塗布体を持つ手が体に接近して十分な角度が得られないことから上唇に対して十分に密着させられず、液状化粧料を正確に塗布することができなくなる。そこで、塗布部の塗布面を軸部の軸線の延長線上に対して傾斜させることで、塗布時に液状化粧料塗布体を液状化粧料塗布体を持つ手が体より離れて十分な角度が得られるので、液状化粧料を正確に塗布することができる〔図４（ニ）参照〕。
【００１０】
第１の特徴を踏まえて、第２の特徴として、
上記塗布面において、その全面又はその一部に対してフロッキー植毛加工をするものである。
【００１１】
そのため、フロッキー植毛加工をしてなる塗布部の塗布面の全面又は一部では、より多量の液状化粧料を保持されるものとなる。その結果、塗布部がシゴキを通過した後でも塗布面に残される液状化粧料をより多くすることができるので、広範囲の塗布部分に対して液状化粧料を塗布することができるものである。
【発明の効果】
【００１２】
本願発明は、液体化粧料塗布体においてシゴキ穴の内径を拡張させるように突出してなる突出部によって、塗布部がシゴキを通過するにあたり及び通過するに際しても、シゴキ穴の内縁が塗布面に密着することを阻止するので、該塗布部の塗布面、特に塗布面の軸部側において必要量の液状化粧料を残すことができ、反復することなく、簡易且つ確実に液状化粧料の塗布を行うことができる優れた効果を有するものである。
【図面の簡単な説明】
【００１３】
【図１】図１は、本願発明の実施例１である液状化粧料塗布体を具える液状化粧料塗布容器の拡大断面図である。
【図２】図２（イ）は、本願発明の実施例１である液状化粧料塗布体を具える液状化粧料塗布容器を構成し、本願発明の実施例１である液状化粧料塗布体を保持するキャップの拡大断面図、（ロ）は、本願発明の実施例である液状化粧料塗布体の拡大部分断面図、（ハ）は、本願発明の実施例である液状化粧料塗布体の底面図である。
【図３】図３（イ）は、本願発明の実施例である液状化粧料塗布体の塗布部の拡大正面図、拡大側面図及び拡大底面図であり、（ロ）は、本願発明の実施例である液状化粧料塗布体の塗布部のシゴキ通過時の状態を示す断面図である。
【図４】図３（イ）〜（ニ）は、本願発明の実施例である液状化粧料塗布体の変形例の各々の正面図、側面図及び底面図である。
【発明を実施するための形態】
【００１４】
液状化粧料塗布体において、シゴキを通過した後でも塗布部の塗布面に必要量の液状化粧料を残すものとするために、該液状化粧料塗布体を構成する軸部先端方向に、少なくとも塗布部の塗布面に直交する方向に、シゴキ穴の内径を拡張するように突出してなる突出部を形成することで実現した。
【実施例】
【００１５】
図１において示すのは、本願発明の実施例である液状化粧料塗布体１０を具える液状化粧料塗布容器１である。
ここで、該液状化粧料塗布容器１は、その内部に液状口紅、リップグロス等の液状化粧料（以下、「液状化粧料」という。）３を貯留し、その開口部４では後述する本願発明の実施例である液状化粧料塗布体１０を保持する保持軸９又は塗布部１２に密着して過剰に付着した液状化粧料３を拭い去る、変形可能な軟質材からなり、中央に円形状のシゴキ穴５ａを有するシゴキ５を内装するとともに、その外周面には雄ネジ部６を螺設してなる塗布容器本体２と、その内周面において前記塗布容器本体２の開口部４の外周面に螺設する雄ネジ部６と螺合して該開口部４を閉塞自在とする雌ネジ部８を螺設するものであって、後述する本願発明の実施例１である液状化粧料塗布体１０を、その軸部１１を保持する保持軸９の根元部９ａを嵌合させて一体に固持してなるキャップ７とからなるものである。
【００１６】
そして、本願発明の実施例である液状化粧料塗布体１０は、図２に示すように、上記キャップ７内において一体に固持する保持軸９先端の保持孔９ｂ内に挿嵌される軸部１１と、塗布部１２とから構成されるものである。
さらに該塗布部１２は、対向する両面を平面状の塗布面１３、１３とし、且つ該塗布部１２の幅をシゴキ５のシゴキ穴５ａの内径よりも大とし、上記軸部１１の塗布部１２方向先端に、塗布面１３、１３に直交する方向に、シゴキ穴５ａの内径を拡張させるように突出してなる、軸部１１後端方向に先細化する円錐台形状の突出部１４を軸部１１側面の全周にわたって形成するものである。
【００１７】
本願発明の実施例である液状化粧料塗布体１０は以上の構成を具えるので、液状化粧料３の塗布において次のようになるものである。
すなわち、まず液状化粧料３を塗布するにあたって、キャップ７の保持軸９に保持された液状化粧料塗布体１０を内部に収容された塗布容器本体２内より取り出すため、キャップ７の雌ネジ部８と、塗布容器本体２の開口部４の雄ネジ部６との螺合を解くとともに該キャップ７を引張するものである。
【００１８】
そして、該キャップ７の引張により、該キャップ７の保持軸９及び保持軸９に保持される液状化粧料塗布体１０は、塗布容器本体２の開口部４に内装されるシゴキ５のシゴキ穴５ａを通過するものとなる。すなわち、塗布容器本体２の開口部４内に内装されるシゴキ５のシゴキ穴５ａに対してキャップ７の保持軸９及び該保持軸９に保持される液状化粧料塗布体１０の塗布部１２は、シゴキ穴５ａを通過するものである。従って、まずキャップ７の保持軸９はシゴキ５のシゴキ穴５ａの内縁に密着するので、その表面に付着した過剰の液状化粧料３を拭い去ることができるものである。
【００１９】
さらに、該保持軸９に保持される液状化粧料塗布体１０、特に塗布部１２が通過するにあたっては、軸部１１の塗布部１２方向先端に、塗布面１３、１３に直交する方向に突出して形成される円錐台形状の突出部１４がシゴキ穴５ａの内径を拡張するように変形させるものである。さらに、該塗布部１２の幅はシゴキ５のシゴキ穴５ａの内径よりも大であるので、シゴキ５を通過する際に、シゴキ５の円形状のシゴキ穴５ａは塗布部１２の幅だけ直径方向に拡大すると共に、該拡大した直径に直交する直径方向に収縮し略楕円形状のシゴキ穴５ａへと変形するものである。
【００２０】
その結果、塗布部１２がシゴキ５のシゴキ穴５ａを通過するにあたっては、該突出部１４が塗布部１２の塗布面１３、１３にシゴキ５のシゴキ穴５ａの内縁が密着することを阻止するものとなる。
さらに、塗布部１２がシゴキ５のシゴキ穴５ａを通過するに際しても、該突出部１４がシゴキ穴５ａが塗布面１３、１３に密着しようとすることをも阻止するものである。
【００２１】
以上により、塗布部１２の塗布面１３、１３、特に軸部１１側には必要量の液状化粧料３が十分に残るものとなるので（図３参照）、液状化粧料塗布体１０の塗布部１２の塗布面１３、１３に十分に残った液状化粧料３によって、反復することなく、液状化粧料３を塗布することができるようになるものである。
【符号の説明】
【００２２】
１    液状化粧料塗布容器
２    塗布容器本体
３    液状化粧料
４    開口部
５    シゴキ
５ａ    シゴキ穴
６    雄ネジ部
７    キャップ
８    雌ネジ部
９    保持軸
９ａ    根元部
９ｂ    保持孔
１０    液状化粧料塗布体
１１    軸部
１２    塗布部
１３    塗布面
１４    突出部
【図１】
2014073295.tif 000003
【図２】
2014073295.tif 000004
【図３】
2014073295.tif 000005
【図４】
2014073295.tif 000006